(57)【要約】【課題】清掃面を傷つけることなく塵埃を吸込むことができる吸込口体及び電気掃除機を提供する。【解決手段】  吸込口体２０１は、内部に吸込空間２２７を有するとともに清掃面と対向する下面に吸込口２０５を備えるヘッド部２０４を有し、吸込空間２２７は、清掃面と平行な方向に延伸し、吸込口２０５は、吸込空間２２７の中心軸と清掃面との間に位置し、吸込空間２２７は、吸込口２０５を介してヘッド部２０４の外部と連通すると共に、前記平行な方向と直交する断面において、清掃面と接する円形状又は類円形状における吸込口２０５よりも清掃面側を欠く欠円形状又は欠類円形状をし、ヘッド部２０４は、下面における吸込口２０５の後側部位に、清掃面へと突出する支持部２４７を有している【選択図】図１７
2015198895.tif 000002
【特許請求の範囲】
【請求項１】
内部に吸込空間を有するとともに清掃面と対向する下面に吸込口を有するヘッド部を備える電気掃除機の吸込口体であって、
前記吸込空間は、前記清掃面と平行な方向に延伸し、
前記吸込口は、前記吸込空間の中心軸と前記清掃面との間に位置し、
前記吸込空間は、前記吸込口を介して前記ヘッド部の外部と連通すると共に、前記平行な方向と直交する断面において、前記清掃面と接する円形状又は類円形状における前記吸込口よりも前記清掃面側を欠く欠円形状又は欠類円形状をし、
前記ヘッド部は、前記下面における前記吸込口の後側部位に、前記清掃面へと突出する支持部を有している
吸込口体。
【請求項２】
前記ヘッド部の後部に、通風口を介して前記吸込空間と連通する通風空間を内部に有する通風路が接続されている
請求項１に記載の吸込口体。
【請求項３】
前記支持部は、前記吸込口の延伸する方向に沿って連続して設けられている
請求項１又は２に記載の吸込口体。
【請求項４】
前記ヘッド部は、前記清掃面と直交する方向から見たときに、前記平行な方向と平行な前端と、前記平行な方向の両端に位置する側端とが直交している
請求項１〜３の何れか１項に記載の吸込口体。
【請求項５】
前記支持部は、パイル地で形成されている
請求項１〜４の何れか１項に記載の吸込口体。
【請求項６】
吸込口体と掃除機本体とを備える電気掃除機において、
前記吸込口体は、請求項１〜５の何れか１項に記載の吸込口体である
電気掃除機。
【発明の詳細な説明】
【技術分野】
【０００１】
本発明は、吸込口体及び当該吸込口体を備える電気掃除機に関する。
【背景技術】
【０００２】
従来、床やカーペット上の塵埃の吸込み性能を向上させるために様々な検討が行われている。例えば、特許文献１のような構成の電気掃除機の吸込口体が開示されている。
特許文献１で開示される吸込口体の構成によれば、吸込口体の清掃面側に設けられた吸込口の内側に回転ブラシが設けられる。清掃時はこの回転ブラシが回転することで清掃面上の塵埃を掻きあげ、塵埃が浮遊しているところを吸込口体で吸込む。このように、床溝内の塵埃やカーペットの奥に存在する塵埃を回転ブラシを利用して吸込むことで吸込口体の性能を向上させている。
【０００３】
このような吸込口体の他にも、回転ブラシにブラシの他にゴム製のブレードを設ける吸込口体や、回転ブラシを複数設けた吸込口体が開示されている。
【先行技術文献】
【特許文献】
【０００４】
【特許文献１】特開平５−２９３０６４号公報
【発明の概要】
【発明が解決しようとする課題】
【０００５】
しかしながら、回転ブラシを回転させることで塵埃を掻き上げるためには回転ブラシを床やカーペットと接触させることが必要である。回転ブラシが清掃面を直接掻くことで塵埃を浮かせるためである。このような方法では、直接回転ブラシを清掃面に接触させるため床やカーペットを傷つける可能性が高く、カーペットに使用する材質によってはカーペットの毛足が損傷するなどの可能性が考えられる。
本発明は、清掃面を傷つけることなく塵埃を吸込むことができる吸込口体及び電気掃除機を提供する。
【課題を解決するための手段】
【０００６】
上記課題を解決するため、本発明の一実施形態に係る吸込口体は、内部に吸込空間を有するとともに清掃面と対向する下面に吸込口を有するヘッド部を備える電気掃除機の吸込口体であって、前記吸込空間は、前記清掃面と平行な方向に延伸し、前記吸込口は、前記吸込空間の中心軸と前記清掃面との間に位置し、前記吸込空間は、前記吸込口を介して前記ヘッド部の外部と連通すると共に、前記平行な方向と直交する断面において、前記清掃面と接する円形状又は類円形状における前記吸込口よりも前記清掃面側を欠く欠円形状又は欠類円形状をし、前記ヘッド部は、前記下面における前記吸込口の後側部位に、前記清掃面へと突出する支持部を有している。
【０００７】
ここでいう、類円形状は、真円形状ではないが、円形状に相当する種類に属するような形状のものをいい、例えば、長円形状、楕円形状及び多角形状並びに長円形状、楕円円形状及び多角形状の一部が凹入したり、凸出したりした形状等がある。
また、本発明に係る電気掃除機は、吸込口体と掃除機本体とを備え、前記吸込口体は、上記に記載の吸込口体である。
【発明の効果】
【０００８】
本発明に係る実施形態では、吸込空間の横断面形状が欠円形状又は欠類円形状をしているため、吸込空間内で旋回気流が生成され、この旋回気流によって床やカーペット上の塵埃を巻き上げることで吸込み効率を向上することが可能である。
【図面の簡単な説明】
【０００９】
【図１】動作原理を説明するための吸込口体を模式的にあらわした上面図と断面図。
【図２】動作原理を説明するための吸込口体を模式的にあらわした側面図。
【図３】第１の実施形態の電気掃除機の概略図。
【図４】第１の実施形態の吸込口体の側面図。
【図５】第１の実施形態の吸込口体の平面図。
【図６】第１の実施形態の吸込口体の底面図。
【図７】第１の実施形態の吸込口体の正面図。
【図８】第１の実施形態の吸込口体の背面図。
【図９】図５のＸ１−Ｘ１断面を矢印方向から見た円筒体周辺の拡大図。
【図１０】第２の実施形態の吸込口体の側面図。
【図１１】第２の実施形態の吸込口体の平面図。
【図１２】第２の実施形態の吸込口体の底面図。
【図１３】第２の実施形態の吸込口体の正面図。
【図１４】第２の実施形態の吸込口体の背面図。
【図１５】第３の実施形態の吸込口体の斜視図。
【図１６】第３の実施形態の吸込口体の底面図。
【図１７】図１６のＸ２１−Ｘ２１断面を矢印方向から見た図。
【発明を実施するための形態】
【００１０】
発明者は、清掃面を傷つけることなく塵埃を吸込むことができる吸込口体及び電気掃除機を開発している。これまでの検討により、吸込空間内で旋回気流を発生させ、この旋回気流を利用することで、回転ブラシと同様の効果が得られることを見出している。
しかしながら、部屋の隅部や部屋の壁と家具とで形成される隅部等（以下、単に「部屋の隅部」や「隅部」という。）では、清掃面上の塵埃を十分に吸込むことができないという問題が生じている。なお、この問題は、回転ブラシを利用した従来の吸込口体の場合も同様に生じる。
【００１１】
特に、旋回気流を利用する場合、旋回気流が吸込空間の中心軸の周りを旋回するため、ヘッド部の下方に存在する塵埃の吸込みには適しているが、ヘッド部の周辺では塵埃の吸込力が弱くなってしまう傾向にある。
そこで、発明者はさらに検討を進め、隅部に存在する塵埃の吸込力も高めることができる吸込口体及び電気掃除機を提供することを目的としている。
【００１２】
本発明の一態様に係る吸込口体は、内部に吸込空間を有するとともに清掃面と対向する下面に吸込口を有するヘッド部を備える電気掃除機の吸込口体であって、前記吸込空間は、前記清掃面と平行な方向に延伸し、前記吸込口は、前記吸込空間の中心軸と前記清掃面との間に位置し、前記吸込空間は、前記吸込口を介して前記ヘッド部の外部と連通すると共に、前記平行な方向と直交する断面において、前記清掃面と接する円形状又は類円形状における前記吸込口よりも前記清掃面側を欠く欠円形状又は欠類円形状をし、前記ヘッド部は、前記下面における前記吸込口の後側部位に、前記清掃面へと突出する支持部を有している。これにより、吸込口体を部屋の隅部に当接させた際に、吸込口周辺の密閉度を向上させることができる。
【００１３】
前記ヘッド部の後部に、通風口を介して前記吸込空間と連通する通風空間を内部に有する通風路が接続されている。これにより、吸込口体の前部が部屋の壁等に当接しやすくなる。
前記支持部は、前記吸込口の延伸する方向に沿って連続して設けられている。これにより、吸込口体を部屋の隅部に当接させた際に、吸込口周辺の密閉度をより一層向上させることができる。
前記ヘッド部は、前記清掃面と直交する方向から見たときに、前記平行な方向と平行な前端と、前記平行な方向の両端に位置する側端とが直交している。これにより、吸込口体が、例えば、部屋の隅部を構成する壁等に当接しやすくなる。
前記支持部は、パイル地で形成されている。これにより清掃面に支持部が接触しても、清掃面を傷つけるおそれが少ない。
【００１４】
＜動作原理＞
まず、旋回気流の発生動作原理について、図１及び図２を用いて説明する。
図１及び図２は、原理を説明するために模式的にあらわした電気掃除機の吸込口体２０である。図１は吸込口体２０の上面図と断面図であり、図２は吸込口体２０の側面図である。
まず、電気掃除機を操作する操作者を基準にして、吸込口体が存在している側を「前側」とし、電気掃除機本体が存在している側を「後側」とそれぞれする。
図１（ａ）、図１（ｂ）共に、図面の左側が前方、右側が後方にそれぞれ対応する。また、図１（ｂ）に示す矢印は円筒体２２内を旋回する旋回気流の運動方向を表し、黒矢印は旋回気流の下半分側を表し、斜線入り矢印は旋回気流の上半分側を表す。
【００１５】
吸込口体２０は、円筒状や円柱状の空間であって清掃面Ｓ側に開口部２２ａを有する円筒体２２と、円筒体２２の前部に円筒体２２に接するように設けられるフロントガード２４と、円筒体２２の後部に円筒体２２に接するように設けられるリアガード２６とを形成し、リアガード２６の上方中央に設けられ、円筒体２２と連通する通風路２８を有している。
ここで、円筒体２２、フロントガード２４及びリアガード２６が組み合わされたものが本発明のヘッド部の一例に相当し、円筒体２２の内部の空間が本発明の吸込空間の一例に相当し、開口部２２ａが本発明の吸込口の一例に相当する。また、通風路２８の内部の空間が本発明の通風空間の一例に相当する。
【００１６】
フロントガード２４とリアガード２６の下面は清掃面Ｓに対して一定の距離ｔをとって離間している。距離ｔは、円筒体２２が完全な円筒体と仮定したとき、円筒体の内周面が清掃面に接するように配置されたときのフロントガード２４と清掃面Ｓとの距離又はリアガード２６と清掃面Ｓとの距離である。
言い換えると、距離ｔは、円筒体２２の中心軸と清掃面Ｓとの距離が円筒体２２の半径に相当するように配置されたときのフロントガード２４と清掃面Ｓ又はリアガード２６と清掃面Ｓとの距離である。
【００１７】
このように距離ｔを定めると、開口部２２ａから吸引される（吸込まれる）塵埃は円筒体２２の接線方向から円筒体２２の内部に吸込まれる。このとき、円筒体２２内の気流は円筒体２２の内面に沿った旋回気流を生成する。
開口部２２ａから吸込まれた塵埃は、吸込まれる位置によって挙動が異なる。開口部２２ａ（円筒体２２）の中央部から吸込まれた塵埃は、通風路２８が近いため円筒体２２内を旋回せずに通風路２８に直接吸込まれる。
【００１８】
一方、円筒体２２の端部から吸込まれた塵埃は、旋回気流に乗って円筒体２２の内周面に沿って、図１（ｂ）に示すように回転（旋回）しながら円筒体２２の中央に近づき、通風路２８に吸込まれる。
言い換えると、図１（ａ）に示すように円筒体２２の端部から吸込まれた塵埃は円筒体２２の内周面に沿って螺旋状の軌跡を描きながら通風路２８に向かって移動する。
【００１９】
次に、清掃面Ｓとフロントガード２４の下面又は清掃面Ｓとリアガード２６の下面との距離ｔと円筒体２２の開口部２２ａの開口サイズｄ（前後方向の開口寸法である。）について図２を用いて説明する。なお、図２では、円筒体２２、フロントガード２４及びリアガード２６を一体で表し、一体で表したものの開口部も円筒体の開口部としている。
【００２０】
図２に示すように、開口部２２ａの開口サイズｄは半径ｒを斜辺とする直角三角形ＯＡＢの隣辺の一つを２倍したものと等しい。したがって以下の数式で求めることができる。
ｄ  ＝  ２  ×  ｛ｒ２−（ｒ−ｔ）２｝１／２
ここで、ｄは円筒体２２の開口部２２ａの開口サイズ、ｒは円筒体２２の内周面の半径、ｔは開口部２２ａから清掃面Ｓまでの距離を示す。
【００２１】
数式より半径ｒを一定のまま距離ｔを小さくすると開口サイズｄは小さくなり、距離ｔを大きくすると開口サイズｄは大きくなる。開口サイズｄは、０＜ｄ＜２ｒの範囲から選択することが可能であり、吸込口体２０に求められる性能などに基づいて適切なサイズが選択される。
【００２２】
＜第１の実施形態＞
次に第１の実施形態について図３から図９を用いて説明する。
１．電気掃除機の概略
図３は、第１の実施形態に係る電気掃除機１を示す概略図である。
電気掃除機１は、図３に示すように、電気掃除機本体３と吸込口体４０とを備える。電気掃除機１は、電気掃除機本体３と吸込口体４０とを着脱自在に接続するための接続管７を備えても良い。
ここでは、接続管７は操作部９付きホース１１と管体１３とを接続自在に備える。なお、電気掃除機１の種々の使用目的に対応できるように、管体１３と吸込口体４０とを接続せずに、ホース１１と吸込口体４０とを直接接続することもできる。
【００２３】
電気掃除機１は、フローリング、カーペット、絨毯等の清掃面に存在する塵埃を周辺空気とともに円筒体４２の開口部４２ａから吸込んで、電気掃除機本体３の内部に集塵する。ここで、塵埃等が吸込口体４０の吸込口から電気掃除機本体３の内部まで吸引される流路を吸引路とする。吸引路において、吸込口体４０が位置する「側」を「上流側」とし、電気掃除機本体３が位置する「側」を「下流側」とする。
【００２４】
電気掃除機本体３は、塵埃等を吸引するための電動送風機と、電動送風機よりも上流側に配された集塵スペースとを内蔵する。集塵方式は、サイクロン式でもよいし、紙パック式でもよいし、両者を併用してもよい。なお、電気掃除機本体３は移動補助用の車輪１５を備えている。
ホース１１は可撓性を有する湾曲自在な筒体で構成される。ホース１１の下流端部は電気掃除機本体３に着脱自在に接続され、上流端部には操作部９が装着されている。ホース１１の内部は、吸引路の一部を構成する空間であり、電気掃除機本体３の吸引開始や吸引停止等のスイッチを操作部９で操作するための電気ケーブルが配される収容空間でもある。
【００２５】
操作部９は、上記スイッチの他、操作者が吸込口体４０を清掃面に沿って移動（操作）させるためのハンドル９ａを備える。操作部９の上流側の端部には管体１３が着脱自在に接続される。
管体１３は伸縮自在に構成されている。具体的には、管体１３は内管と外管とを備え、内管が外管に対して挿抜自在に支持されている。管体１３の上流側の端部が吸込口体４０に着脱自在に接続される。なお、後述する吸込口体４０は、回転ブラシを備えないため、回転ブラシ駆動用配線が不要となり、管体１３の構造は簡単となる。
【００２６】
２．吸込口体の概略
吸込口体４０の構成について説明する。
図４は吸込口体４０の側面図である。図５は吸込口体４０の平面図である。図６は吸込口体４０の底面図である。図７は吸込口体４０の正面図である。図８は吸込口体４０の背面図である。
ここで、吸込口体２０１を前にする操作者から見て、前後方向と直交する方向を、単に「左右方向」という。また、清掃面に対して直交する方向を、単に「上下方向」といい、清掃面から離れる向きを「上向き」、清掃面に近づく向きを「下向き」とそれぞれいう。
【００２７】
吸込口体４０は、少なくとも、円筒体４２と通風路４８とを備える。以下、具体的に説明する。
第１の実施形態に係る吸込口体４０は、円筒体４２、フロントガード４４、リアガード４６、通風路４８、ジョイント５０、第１のパイプ５２、第２のパイプ５４、ベース部５６、ホイール５８ａ〜５８ｆから構成され、管体１３、ホース１１を介して電気掃除機本体３に接続される。なお、第２パイプ５４は管体１３に接続される。
円筒体４２に形成された開口部４２ａから吸込まれた塵埃は、管体１３、ホース１１を介して電動送風機を内蔵する電気掃除機本体３に設けられる集塵スペースに吸引される。
【００２８】
ここで、少なくとも円筒体４２と通風路４８とが組み合されたものが吸込ヘッド４１である。円筒体４２、フロントガード４４及びリアガード４６が組み合わされたものがヘッド部４５であり、開口部４２ａは、本発明の吸込口の一例に相当する。円筒体４２の内部の空間が吸込空間４３である。
吸込口体４０は、開口部４２ａと接するリアガード４６に、開口部４２ａの長手方向に沿って凸状の支持部４６ａを有している。つまり、吸込口体４０は、開口部４２ａの後方に支持部４６ａを備えている。
円筒体４２は、内部に円柱状の空間を有し、清掃面側には開口部４２ａが形成されている。動作原理で説明したように、開口部４２ａから吸込まれた塵埃は円筒体４２内部の内周面に沿うような旋回気流にのって吸引される。
【００２９】
フロントガード４４は円筒体４２の前部に設けられる。フロントガード４４を設けることで使用時に吸込口体４０が壁などにぶつかった時でも、円筒体４２を衝撃から守ることが可能となる。
フロントガード４４は、衝撃を吸収できるような材質や構成であるとなお良い。例えば、エラストマーや繊維生地などの材料を用いても良い。また、フロントガード４４を円筒体４２と一体に形成しても良いし、複数の部品で構成しても良い。
【００３０】
リアガード４６は円筒体４２の後部に設けられる。フロントガード４４と同様、リアガード４６を設けることで吸込口体４０を後方に動かしたときに円筒体４２が直接障害物にぶつかることを防ぐ。
リアガード４６は、フロントガード４４と同様に衝撃を吸収できるような材質、構成を使用することができる。例えば、衝撃を吸収できるような材質や構成であっても良い。具体的には、エラストマーや繊維生地などの材料を用いることが可能である。また、リアガード４６を円筒体４２と一体に形成しても良いし、複数の部品で構成しても良い。
【００３１】
支持部４６ａは、開口部４２ａに吸引される気流が開口部４２ａの外部に漏れないように清掃面に密着するように、リアガード４６に設けられている。つまり、支持部４６ａの下面とホイール５８ａ〜５８ｆの下端とに接触する仮想面が清掃面と一致するように、支持部４６ａやホイール５８ａ〜５８ｆの高さが調整されている。これにより、支持部４６ａは、吸込口体４０の下面（支持部４６ａを除く。）と清掃面との距離を維持する機能を有する。
【００３２】
支持部４６ａとして用いられる部材はどのようなものでも構わないが、パイル地、ゴム、繊維生地を用いてもよい。このような部材を用いることで支持部４６ａが清掃面に接触しながらも清掃面を傷つけることはない。
通風路４８は円筒体４２の後部中央部に連通部４８ａを介して接続される。円筒体４２から吸込まれた塵埃は第１のパイプ５２に向かう吸引気流にのって通風路４８内を移動する。なお、連通部４８ａは、本発明の通風口の一例に相当する。
【００３３】
ジョイント５０は通風路４８と第１のパイプ５２とを接続するものである。第１のパイプ５２は円筒体４２の長手方向と平行な軸を中心に上下方向に回動可能に接続される。
第１のパイプ５２は略円筒状の形状に形成されている。第１のパイプ５２上には、パイプカバー５２ａが設けられている。パイプカバー５２ａ内には端子や導線が格納できるスペースが設けられており、例えば吸込口体４０にＬＥＤなどの発光素子を配置する場合など吸込口体４０に電気配線が必要なときにはこのパイプカバー５２ａ内のスペースを利用することが可能である。なお、電気配線が不要なときはパイプカバー５２ａが無くても構わない。
【００３４】
第２のパイプ５４は、一方端部が第１のパイプ５２に接続され、他方端部には管体１３が接続される。第２のパイプ５４は第１のパイプ５２と同様略円筒状の形状に形成されていて、第１のパイプ５２の径よりもやや小さな径となっている。
このような構成にすることで、第１のパイプ５２と第２のパイプ５４との接続部には段差５４ａができ、管体１３は、この段差５４ａによって挿入時に一定の位置で固定される。なお、第１のパイプ５２と第２のパイプ５４は別々に形成されても、一体に形成されていてもよい。一体に形成されたものが第２及び第３の実施形態の継手体１２５，２０９である。
【００３５】
ベース部５６はジョイント５０の下部に設けられる。この構成によって、円筒体４２よりやや上方後方に形成されるジョイント５０を下から支えることで、開口部４２ａが清掃面から浮いてしまうことを防止し、清掃面と開口部４２ａとの一定の距離を維持できるようにすることができる。
ホイール５８ａ〜５８ｆは、回転可能に、フロントガード４４、リアガード４６、ベース部５６等の所定の位置に取り付けられる。ホイール５８ａ，５８ｂはフロントガード４４の下部に、ホイール５８ｃ，５８ｄはリアガード４６の下部に、ホイール５８ｅ，５８ｆはベース部５６の下部であって後部中央部に、それぞれ取り付けられる。
なお、ホイール５８ｃ，５８ｄは厚みの薄いリアガード４６に取り付けられるため、リアガード４６に貫通孔を設けて取り付けられる。
【００３６】
（１）ヘッド部
図９は、図５のＸ１−Ｘ１断面を矢印方向から見た円筒体４２の周辺の拡大図である。
円筒体４２は、図９に示すように、円筒体４２の中心Ｐ１を通る中心軸Ｙ１と直交する断面（横断面である。）において、内周面形状が円形状をした完全な円筒体の一部（下部）を欠いた形状をしている。つまり、円筒体４２の内周面形状が欠円形状をしている。なお、円形状の欠いた部分で開口部４２ａが構成される。開口部４２ａは、吸込空間４３の中心軸と清掃面との間にある。
【００３７】
（２）通風路
通風路４８は、図９に示すように、筒状をしている。通風路４８は、上方から見たとき（つまり、図５の状態である。）、円筒体４２から離れるに従って細くなるような形状をしている。また、通風路４８は、側方から見たとき（つまり、図４の状態である。）、円筒体４２から離れるに従って太くなるような形状をしている。
通風路４８は、内部に通風路４８の外観形状に対応した相似形状の通風空間４７を有している。
【００３８】
（３）円筒体と通風路との接続
円筒体４２の内部と通風路４８の内部とを連通される連通部４８ａは、図６及び図９に示すように、円筒体４２の中心軸方向に沿って長い形状をしている。つまり、連通部４８ａは、上下方向に薄い偏平な形状をしている。
連通部４８ａは、図９に示すように、円筒体４２の横断面において、円筒体４２の中心軸Ｙ１を通り、清掃面と直交する仮想線分Ｙ２よりも後側に存在する。連通部４８ａは、円筒体４２の中心軸Ｙ１を通り、清掃面と平行な仮想線分Ｙ３よりも上（清掃面と離れる方向である。）側に存在する。
【００３９】
３．作用
（１）塵埃の吸込み
吸込口体４０は、開口部４２ａから空気を円筒体４２の接線方向から吸込むので、円筒体４２の内部で旋回気流が発生し、清掃面上の塵埃は旋回気流にしたがって円筒体４２の内部を螺旋状に軌跡を描きながら通風路４８へと移動する。
【００４０】
（２）部屋の隅部での吸込み
円筒体４２は、筒形状（具体的には、円筒状である。）をし、図５に示すように、平面視において、矩形状をし、その前部にフロントガード４４が設けられている。これにより、円筒体４２にフロントガード４４が装着された状態を平面視すると、図５に示すように、矩形状となる。つまり、平面視において、ヘッド部４５は矩形状をし、ヘッド部４５の前端は一直線状をしている。
【００４１】
リアガード４６は、図５及び図６に示すように、全体として矩形状の板状をし、その後部に設けられている。これにより、円筒体４２にリアガード４６が装着された状態を平面視すると、図５に示すように、矩形状となる。つまり、平面視において、ヘッド部４５は矩形状をし、ヘッド部４５の後端部は一直線状をしている。
【００４２】
円筒体４２の中心軸方向の両端は、平面視において、中心軸が通る部分を除いて、フロントガード４４及びリアガード４６により覆われている。これにより、円筒体４２にフロントガード４４とリアガード４６とが装着された状態を平面視すると、図５に示すように、ヘッド部４５の左右両端は、中心軸が通る部分を除いて一直線状をしている。
リアガード４６は、下方に突出する状態で支持部４６ａを下面に有している。支持部４６ａは、図６に示すように、開口部４２ａの延伸方向に連続して設けられている。特に、支持部４６ａは、開口部４２ａの後端の近傍に設けられている。
【００４３】
以上により、部屋の隅部を掃除する際、吸込口体４０の前部と側部とが隅部を構成する２つの壁に当接しても、隅部の塵埃を効率よく吸込むことができる。
つまり、ヘッド部４５は平面視において矩形状をしているため、隅部を構成する２つの壁に密着できる。また、支持部４６ａが、清掃面と接触する状態で、開口部４２ａの後端に沿って連続して設けられている。これにより、隅部の２つの壁と支持部４６ａとで囲まれた開口部４２ａの周辺領域の密閉度が高められ、隅部の塵埃も吸込むことができる。なお、吸込口体の側部は、中心軸の両端に位置し、中心軸と直交する部分である。
【００４４】
＜第２の実施形態＞
第２の実施形態に係る吸込口体１００について、図１０から図１４を用いて説明する。なお、ここでは、吸込口体１００の電気掃除機本体３への接続構造・接続方法は、第１の実施形態の吸込口体４０と同じであり、接続構造等の説明は省略する。
図１０は吸込口体１００の側面図である。図１１は吸込口体１００の平面図である。図１２は吸込口体１００の底面図である。図１３は吸込口体１００の正面図である。図１４は吸込口体１００の背面図である。
【００４５】
吸込口体１００は、円筒体１０２、フロントガード１０４、リアガード１０６、通風路１０８、ジョイント１１０、第１のパイプ１１２、第２のパイプ１１４、ベース部１１６、ホイール１１８ａ〜１１８ｆから構成される。
円筒体１０２、フロントガード１０４、リアガード１０６、通風路１０８、ジョイント１１０、第１のパイプ１１２、第２のパイプ１１４、ベース部１１６、ホイール１１８ａ〜１１８ｆは、第１の実施形態における、円筒体４２、フロントガード４４、リアガード４６、通風路４８、ジョイント５０、第１のパイプ５２、第２のパイプ５４、ベース部５６、ホイール５８ａ〜５８ｆと略同じ構成をしている。
ここで、少なくとも円筒体１０２と通風路１０８とが組み合わされたものが吸込みヘッド１０１である。円筒体１０２、フロントガード１０４及びリアガード１０６が組み合わされたものがヘッド部１０５であり、後述の開口部１０２ａは、本発明の吸込口の一例に相当する。
【００４６】
以下、主に相違点について説明する。
円筒体１０２は、長手方向中間部にストレート部を有する他、長手方向両端部に円筒体１０２の回転中心軸（単に、「中心軸」ともいう。）にむかって絞られたテーパー形状のテーパー部１０２ｂ，１０２ｃをそれぞれ有する。これにより、円筒体１０２の内部の吸込空間１０３は、その端部において、回転中心軸上を端に近づくに従って横断面の面積が徐々に小さくなる。
円筒体１０２の後部には、連通部１０８ａを介して吸込空間１０３と連通する通風空間を内部に有する通風路１０８が接続されている。なお、連通部１０８ａは、本発明の通風口の一例に相当する。
円筒体１０２の両端部をテーパー部１０２ｂ，１０２ｃとすることによって吸込口体１００の開口部１０２ａから吸込まれた塵埃が連通部１０８ａ側に移動しやすくなる。第１の実施形態での円筒体４２はテーパー部の傾斜がないため、塵埃が連通部４８ａ側に移動するまでに時間がより必要とするのに対して、第２の実施形態での円筒体１０２では塵埃が短い時間で連通部１０８ａまで到達することが可能である。
【００４７】
また、テーパー部１０２ｂ，１０２ｃを有することで吸込まれた塵埃は連通部１０８ａの方向に必ず移動する。第１の実施形態の円筒体４２は、気流によっては円筒体４２の端部へ移動することもあるので、テーパー部１０２ｂ，１０２ｃがあることで円筒体１０２内部の気流を整流する効果も有する。
円筒体１０２のそれぞれのテーパー部１０２ｂ，１０２ｃの頂点から開口部１０２ａの中央部に向かって通気孔１０２ｄ，１０２ｅが形成される。通気孔１０２ｄ，１０２ｅはテーパー部１０２ｂ，１０２ｃの頂点に対応する部分から清掃面にかけて拡径するように形成される。通気孔１０２ｄ，１０２ｅは、図１０に示すようにアーチ状に形成される。
【００４８】
通気孔１０２ｄ，１０２ｅは、円筒体１０２の回転中心軸の延伸する方向に、円筒体１０２の外部と内部とを連通させるためのものである。なお、通気孔１０２ｄ，１０２ｅは、円筒体１０２の内部の吸込空間１０３に対して、回転中心軸に沿って空気を外部から流入させることができればよく、通気孔は、貫通孔でもよいし、切り欠きであってもよい。
通常、清掃面上の塵埃は吸込口体１００と清掃面とで形成される隙間から任意に吸込まれるが、通気孔１０２ｄ，１０２ｅを設けることで、清掃面上の塵埃は、主に通気孔１０２ｄ，１０２ｅから吸込口体１００の内部に吸込まれる。このように通気孔１０２ｄ，１０２ｅから塵埃を吸込むことで、あらゆる隙間から塵埃が吸込まれることとなる。これにより、塵埃同士が衝突する現象が抑えられ、円筒体１０２内の塵埃をスムーズに回転させることが可能となる。
【００４９】
吸込口体１００は、第１の実施形態と同様に、開口部１０２ａと接するリアガード１０６に、開口部１０２ａの長手方向に沿って凸状の支持部１０６ａを備えている。
円筒体１０２、フロントガード１０４及びリアガード１０６から主に構成されるヘッド部１０５は、平面視において、図１１に示すように、矩形状をしている。平面視において、円筒体１０２の周りは、円筒体１０２の長手方向において回転中心軸と交差する部分を除いて、フロントガード１０４とリアガード１０６とにより囲まれている。
【００５０】
支持部１０６ａは、吸込口体１００の底部と清掃面との距離を維持しつつ、開口部１０２ａに吸引される気流が開口部１０２ａの外部に漏れないように清掃面に接触する（あるいは、外部に漏れる気流の量を少なくするように清掃面側に突出する）ため、塵埃の吸込み力を維持することが可能となる。支持部１０６ａとして用いられる部材はどのようなものでも構わないが、パイル地、ゴム、繊維生地を用いてもよい。このような部材を用いることで支持部１０６ａが清掃面に接触しても清掃面を傷つけることはない。
【００５１】
また、ヘッド部１０５の前端及び左右両端は、平面視において、略直線状をしている。また、壁や家具の外面は通常直線状であるため、掃除をする際にも、ヘッド部１０５の前端及び左右の一方の端を壁等に隙間なく当接できる。
フロントガード１０４にゴム等の弾性体を利用すると、吸込口体１００を壁に当接させた際に、フロントガード１０４が弾性変化し、吸込口体１００と壁との密着性を向上させることができる。
ヘッド部１０５の下面、すなわち、リアガード１０６の下面には支持部１０６ａが設けられている。このため、部屋の隅部を掃除する際に、支持部１０６ａと壁とで囲まれる領域の密閉度が高くなる。この密閉度の高い領域に吸込口１０２ａが存在するため、壁付近の塵埃を効率よく吸込むことができる。
【００５２】
＜第３の実施形態＞
第３の実施形態に係る吸込口体２０１について、図１５から図１７を用いて説明する。なお、ここでは、吸込口体２０１の電気掃除機本体３への接続構造・接続方法は、第１の実施形態の吸込口体４０と同じであり、接続構造等の説明は省略する。
１．概略
図１５は吸込口体２０１の斜視図であり、図１６は吸込口体２０１の底面図である。図１７は図１６のＸ２１−Ｘ２１断面を矢印方向から見た図である。
【００５３】
吸込口体２０１は少なくとも吸込ヘッド２０３を有する。吸込ヘッド２０３は、第１の実施形態の円筒体４２、通風路４８、フロントガード４４、リアガード４６及びベース部５６が一体化したものや、第２の実施形態の円筒体１０２、通風路１０８、フロントガード１０４、リアガード１０６及びベース部１１６が一体化したものに相当する。
吸込ヘッド２０３の下面には、図１６及び図１７に示すように、吸込口２０５が設けられている。吸込口２０５は、第１の実施形態の開口部４２ａや第２の実施形態の開口部１０２ａに相当する。吸込ヘッド２０３の下流側の端部分はジョイント２０７を介して継手体２０９に連結される。継手体２０９は、第１の実施形態の第１のパイプ５２と第２のパイプ５４とが接続されたものや第２の実施形態の第１のパイプ１１２と第２のパイプ１１４とが接続されたものに相当する。吸込口体２０１は、吸込ヘッド２０３と継手体２０９とがジョイント２０７により連結されて一体となっている。
吸込口体２０１は、図１７に示すように、内部に吸込路２１１を有する。この吸込路２１１により、吸込ヘッド２０３の吸込口２０５から吸込まれた塵埃等が継手体２０９から図外の管体１３へと送られる。
【００５４】
２．各部構成
吸込ヘッド２０３は、筒部２２１、通風部２２３及びベース部２２５を有する。筒部２２１は吸込ヘッド２０３において上流側（前部側）に位置する。通風部２２３は吸込ヘッド２０３の下流側（後部側）に位置する。ベース部２２５は、吸込ヘッド２０３の下部側に位置する。なお、吸込口２０５は、図１６及び図１７に示すように、ベース部２２５に存在し、清掃面に対向する。通風部２２３は、本発明の通風路の一例に相当する。筒部２２１は、旋回気流を発生するための吸込空間２２７を内部に有する。通風部２２３は、内部に通風空間２２９を有する。筒部２２１と通風部２２３とは、通風口２３０を介して接続されている。これにより、吸込空間２２７と通風空間２０９とが連通する。なお、吸込空間２２７、通風口２３０、通風空間２２９、ジョイント２０７の内部、継手体２０９の内部により、吸込路２１１が構成される。
【００５５】
吸込ヘッド２０３は、吸込半筒体２３１と風筒体２３３とを少なくとも備える。本実施形態では、吸込ヘッド２０３は、ベース２３５、カバー２３７及びバンパー２５１を備える。筒部２２１は、図１７に示すように、吸込半筒体２３１がベース２３５の前部分２４１に装着されてなる。つまり、吸込空間２２７は、吸込半筒体２３１とベース２３５とが装着されて、その内部に形成される空間である。
【００５６】
吸込半筒体２３１の内周形状は、筒部２２１（吸込半筒体２３１）の中心軸と直交する横断面において、円形状の上半分に相当する半円形状又は当該半円形状に類似した類半円状をしている。ベース２３５の前部分２４１は、上部が開口し且つ左右方向に長い箱状をしている。
ベース２３５の前部分２４１の内周形状は、長手方向（吸込半筒体２３１の中心軸の延伸する方向と一致する。）と直交する横断面において、円形状の下半分に相当する半円状又は当該半円に類似した類半円状を、吸込口２０５よりも下方を切り欠いた欠半円状又は欠類半円状をしている。
これにより、吸込口２０５より下方を欠いた欠円状又は欠類円状を横断面形状として有する吸込空間２２７が得られる。
【００５７】
筒部２２１は、図１５に示すように、筒部２２１の中心軸方向の中間部から端に移るに従って縮径している。つまり、筒部２２１の中心軸方向の中間部分は径寸法に変化がないストレート部２２１ａと、筒部２２１の中心軸方向の両端は、先細りのテーパー部２２１ｂ，２２１ｃと、それぞれなっている。
また、吸込口２０５は、図１６に示すように、筒部２２１の投影形状と同じ形状をしている。つまり、吸込口２０５は、筒部２２１の中心軸方向に長い形状をし、中心軸方向の中央部分２０５ａが矩形状で、その両側の両端部分２０５ｂ，２０５ｃが端に向かって先細りする台形状をしている。
通風口２３０は、図１７に示すように、吸込空間２２７の中心を通る中心軸ｙ２１を通り且つ清掃面と直交する仮想線分Ｙ２２よりも後方に位置するように吸込半筒体２３１に設けられている。通風口２３０は、図１７に示すように、吸込空間２２７の中心軸Ｙ２１を通り且つ清掃面と平行な仮想線分Ｙ２３に跨るように吸込半筒体２３１に設けられている。
【００５８】
通風筒体２３３は、図１５〜図１７に示すように、筒部２２１の後部側に設けられている。具体的には、通風筒体２３３は、吸込半筒体２３１の後部から後方へと延伸する状態で、吸込半筒体２３１に取り付けられている。通風筒体２３３の中心軸Ｙ２４は、筒部２２１の中心軸Ｙ２１と直交する。なお、図１６では、中心軸Ｙ２４はＸ２１−Ｘ２１と重なっている。
ベース２３５は、図１５及び図１６に示すように、平面視「Ｔ」字状をしている。平面視における「Ｔ」字を構成する横に延伸する部分が、上記の吸込半筒体２３１と結合する前部分２４１である。
【００５９】
平面視における「Ｔ］字を構成する縦に延伸する部分は、通風筒体２３３を保持し固定する部分２４２である。つまり、通風筒体２３３は、図１７に示すようにベース２３５により支持された状態で固定されている。ここでの固定方法は、ねじ２４３を利用しているが、係合、接着等の方法で固定してもよい。
ベース２３５は、下面に複数のホイール２４５ａ〜２４５ｄを有している。ここでは、ホイールは４個あり、２個で１組を構成して、１組のホイール２４５ａ，２４５ｂが前端部分に、残り１組のホイール２４５ｃ，２４５ｄが後端部分に設けられている。
ベース２３５は、吸込口２０５の後側に、筒部２２１の中心軸Ｙ２１に沿って延伸する支持部２４７を有している。支持部２４７は、図１７に示すように、下方へと突出し、その下端は清掃面又は清掃面近傍にまで達する。
【００６０】
支持部２４７の左右方向の長さは、吸込ヘッド２０３の吸込口２０５の左右方向の長さに略一致する。支持部２４７の左右方向の長さは、後述のバンパー２５１を有した吸込ヘッド２０３の左右方向の長さより短い。つまり、吸込口体２０１を底側から見たときに、支持部２４７の左右方向の端は、吸込口体２０１の左右方向の端よりも内側（中央側）に存在している。
カバー２３７は、図１５に示すように、ベース２３５の前部分２４１と通風筒体２３３とを上方から覆う。なお、カバー２３７の前側中央部は、図１５及び図１７に示すように、筒部２２１の端部分以外が露出するように貫通孔２４９を有している。カバー２３７とベース２３５には、バンパー２５１が設けられている。具体的には、バンパー２５１は、平面視において、逆「Ｕ」字状をしており、組み合わされたカバー２３７とベース２３５との前部及び左右両側部に跨って設けられている。なお、吸込半筒体２３１、ベース２３５、カバー２３７及びバンパー２５１が組み合わされたものがヘッド部２０４である。
【００６１】
カバー２３７とベース２３５の前部分２４１は、図１５及び図１７に示すように、前端と左右端が平面視において略直交する形状をしている。
ジョイント２０７は、吸込ヘッド２０３に対して継手体２０９が時計・反時計回り（前後方向を回転軸とする。）に回動自在且つ起・倒（左右方向を回転軸とする。）自在になるように、吸込ヘッド２０３の通風部２２３と継手体２０９とを連結する。
【００６２】
２．筒部の端部
第２の実施形態の円筒体１０２は長手方向の両端部分にテーパー部１０２ｂ，１０２ｃを有し、第３の実施形態の筒部２２１は両端部分にテーパー部２２１ｂ，２２１ｃを有している。端部分がテーパー状をする吸込口体１００，２０１では、端部分での吸込口２０５や吸込空間２２７が小さくなる。
これにより、吸込口体２０１の側部を壁に当接させた状態で吸込口体２０１を壁に沿って動かした場合でも、筒部２２１の左右両側での吸込速度が速くなっているため、壁近傍に存在する塵埃の吸込みが可能となる。
【００６３】
また、支持部２４７は、吸込口２０５に沿って中心軸方向に設けられているが、ヘッド部２０４の左右方向の長さよりも短い。つまり、支持部２４７の中心軸方向の両端は、ヘッド部２０４の中心軸方向（左右方向）の両端の手前にあり、吸込口体２０１の側部を壁に当接させたときに、支持部２４７と壁との間に隙間ができる。
掃除の際には、この隙間から流入する空気を利用することにより、壁付近の塵埃を効率的に吸込むことができる。
【００６４】
３．支持部の作用
支持部２４７は、吸込口体２０１の底面と清掃面との距離を維持しつつ、吸込口２０５から吸引される気流が外部に漏れないように清掃面に接触する（あるいは、外部に漏れる気流の量を少なくするように清掃面側に突出する）ため、塵埃の吸込み力を維持することが可能となる。
支持部２４７として用いられる部材はどのようなものでも構わないが、パイル地、ゴム、繊維生地を用いてもよい。このような部材を用いることで支持部２４７が清掃面に接触しても清掃面を傷つけることは少ない。
【００６５】
また、吸込ヘッド２０３の前端及び左右両端は、平面視において、略直線状をしている。壁や家具は通常直線状であるため、掃除をする際にも、吸込ヘッド２０３の前端及び左右の一方の端を壁等に隙間なく当接できる。
吸込口体２０１の下面、すなわち、ベース部２２５の下面には支持部２４７が設けられている。このため、部屋の隅部を掃除する際に、支持部２４７と壁とで囲まれる領域の密閉度が高くなり、壁付近の塵埃を効率よく吸込むことができる。
特に、端部分にテーパー部２２１ｂ，２２１ｃを有している筒部２２１においては、平面視において、吸込口２０５の端部２０５ｂ，２０５ｃと部屋の隅部との距離が大きくなる。しかしながら、支持部２４７を設けることで、密閉度を高めることができるので効果的である。
【００６６】
＜変形例＞
以上、各実施形態に係る電気掃除機や吸込口体について説明したが、本発明は上記各実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００６７】
１．電気掃除機
第１〜第３の実施形態では、電気掃除機１は、床移動型について説明したが、他のタイプであってもよい。他のタイプとしては、例えば、円筒床移動型、ほうき型（スティック型、携帯タイプ）等がある。
ここでいう電気掃除機は、電動送風機を利用したものをいい、商用電源にケーブルを介して接続されるケーブル有タイプでもよいし、充電器（蓄電池）を内蔵する、所謂充電タイプでもよい。
【００６８】
２．吸込口体
（１）構造
第１及び第２の実施形態の吸込口体４０，１００は、円筒体４２，１０２、通風路４８，１０８、ジョイント５０，１１０、第１のパイプ５２，１１２及び第２のパイプ５４，１１４を有し、これらの内部空間が、塵埃等が通過する吸込路となっている。
第３の実施形態の吸込口体２０１は、吸込ヘッド２０３、ジョイント２０７及び継手体２０９を有し、これらの内部空間が塵埃等の通過用の吸込路２１１となっている。
しかしながら、吸込口体は、少なくとも欠円形状方は欠類円形状の吸込空間を内部に有する構造であればよく、例えば、円筒体の連通部や吸込ヘッドの下流口に管体（１３）が直接接続されるような構造であってもよい。この場合、吸込口体の吸込路は、円筒体や吸込ヘッド内にのみ形成される。逆に、他の部材等が組み合わされ、吸込口から吸込まれた塵埃等が他の部材内を通過する場合は、他の部材の内部の通路も吸引路に含まれる。
【００６９】
（２）ヘッド部
第１及び第２の実施形態におけるヘッド部４５，１０１は、円筒体４２，１０２、フロントガード４４，１０４及びリアガード４６，１０６により構成され、第３の実施形態におけるヘッド部２０４は、吸込半筒体２３１、ベース２３５、カバー２３７及びバンパー２５１により構成されている。
しかしながら、ヘッド部は、吸込口を介して外部と連通する吸込空間を内部に有していればよく、その構成は特に限定するものでない。すなわち、ヘッド部は、フロントガード、リアガード、バンパー、カバー等を備えない構造としてもよい。例えば、ヘッド部は、円筒体のみで構成してもよい。
【００７０】
（３）吸込空間
（３−１）全体
第１〜第３の実施形態では、吸込空間４３，１０３，２２７の延伸する方向の一例として、清掃面と平行な左右方向としている。しかしながら、吸込空間の延伸する方向は、他の方向であってもよい。例えば、吸込空間の延伸する方向は、前後方向であってもよいし、前後方向と斜めに交差する方向であってもよい。
【００７１】
（３−２）欠類円形状
第１及び第２の実施形態において、吸込空間４３，１０３の延伸する方向と直交する横断面における吸込空間４３，１０３の欠円形状は、円形状の下部側が切り取られたような形状をしている。第３の実施形態において、吸込空間２２７の延伸する方向と直交する横断面における吸込空間２２７の欠類円形状は、類円形状である長円形状の下部側が切り取られたような形状をしている。
しかしながら、横断面における吸込空間の欠類円形状の基礎となる類円形状は、長円形状以外の他の形状あってもよい。他の形状としては、楕円形状、６角形状以上の多角形状等がある。
【００７２】
つまり、吸込空間の横断面形状は、吸込口から吸込まれた塵埃等が円筒体の内周面やヘッド部の内周面に沿って旋回気流を生じさせるような形状であればよい。
したがって、ヘッド部の形状は、内部に上記の吸込空間を形成する凹みを有すればよく、外観形状等は特に限定されるものではない。
第１〜第３の実施形態に係る吸込空間４３，１０３，２２７は柱形状をしているが、上述したように、吸込空間は、旋回気流を生じさせることができるような形状であればよく、例えば、横断面形状が欠円形状や欠類円形状の筒形状であってもよい。
【００７３】
（３−３）構造
第１及び第２の実施形態の吸込空間は円筒体４２，１０２の１つの部材により構成され、第３の実施形態の吸込空間２２７は吸込半筒体２３１とベース２３５の２つの部材により構成されている。
吸込空間は、所定方向に直線状又は曲線状に延伸し、その横断面形状が欠類円形状や欠円形状をしていればよく、吸込空間を構成するための部材の部品数や材料、大きさ等は特に限定されるものではない。
【００７４】
（４）通風空間
（４−１）延伸方向
通風空間は、吸込空間と接続する部分における、吸込空間が延伸する方向と直交する断面において、後方に向けて延伸する領域を吸込空間に連接して存在していればよい。したがって、通風空間は、通風空間の全長に亘って一直線状に延伸してもよいし、途中で延伸する方向が直線的に変わってもよいし、曲線的に変わってもよい。
【００７５】
（４−２）接続位置
通風空間は、吸込空間に通風口を介して接続されていればよく、接続位置を特に限定するものではない。
例えば、吸込空間の延伸方向の長さが短い場合には、通風空間は吸込空間の延伸方向の端部分に接続されてもよい。
また、通風空間は、吸込空間の延伸方向の中央部分で接続されてもよい。この場合、吸引空間における通風空間に対して延伸方向の両側で旋回気流を利用することができる。また、中央部分で接続されている場合、通風空間に対する吸込空間の両側で吸込力を略等しくできる。
【００７６】
（４−３）個数
第１〜第３の実施形態では、例えば１つの通風路が１つのヘッド部に接続されていた（つまり、１つの通風空間が１つの吸込空間に接続されている。）が、例えば、複数本の通風空間が１つの吸込空間に接続するようにしてもよいし、１つの通風空間が複数本の吸込空間に接続するようにしてもよい。
【００７７】
４．支持部
第１〜第３の実施形態での支持部４６ａ，１０６ａ，２４７は、吸込口４２ａ，１０２ａ，２０５の延伸方向に沿って略直線状に延伸する状態で設けられている。しかしながら、支持部は、吸込口体を部屋の隅部に当接させた際に、吸込口周辺の密閉度を向上させることができればよく、直線状に延伸しなくてもよい。例えば、支持部は、吸込口の延伸方向の中央部分が、最も前部側に、あるいは最も後部側に位置するように、円弧状をしていてもよいし、段差状をしていてもよい。
第１〜第３の実施形態での支持部４６ａ，１０６ａ，２４７は、１つの部材により構成されていたが、複数の部材により構成されてもよい。例えば、吸込口に沿って、複数本の支持体を連結して、１本の支持部を構成してもよい。
【００７８】
さらに、支持部は、間隔をあけて配された複数本の支持体により構成されてもよい。この場合、間隔は、等間隔でもよいし、等間隔でなくてもよい。ただし、間隔は小さい方がよい。また、複数本の支持体を用いる場合、同一の材料の支持体であってもよいし、異なる材料の支持体であってもよい。
第１〜第３の実施形態での支持部４６ａ，１０６ａ，２４７は、吸込口に沿って１列状に設けられていたが、複数列状に設けられてもよい。
支持部４６ａ，１０６ａ，２４７は、当該支持部４６ａ，１０６ａ，２４７が配される部材、例えば、リアガード４６，１０６やベース部２２５と、別部材で構成されているが、同じ部材の一部として構成されてもよい。例えば、支持部を樹脂材料で構成し、リアガードやベース部と一体で設けられても良い。
【００７９】
支持部は、清掃面を傷つける恐れがない材料を用いた場合は清掃面に接した方がよいが、清掃面に接しなくてもよい。つまり、支持部は、清掃面近くまで突出する構造であれば、吸込口体を部屋の隅部に当接させた際に、吸込口周辺の密閉性を、支持部がない場合よりも高めることができる。
支持部４６ａ，１０６ａ，２４７は、横断面形状が矩形状をしているが、他の横断面形状であってもよい。他の形状としては、三角形状、台形形状、半円形状等がある。支持部の固定方法について特に説明していないが、接着剤、ねじ、溝等を利用した周知の固定方法を利用できる。また、支持部は、交換可能に設けられてもよい。
【符号の説明】
【００８０】
１    電気掃除機
２０１    吸込口体
２０４    ヘッド部
２０５    吸込口
２２３    通風路（通風部）
２２７    吸込空間
２２９    通風空間
２３０    通風口
２４７    支持部
【図１】
2015198895.tif 000003
【図２】
2015198895.tif 000004
【図３】
2015198895.tif 000005
【図４】
2015198895.tif 000006
【図５】
2015198895.tif 000007
【図６】
2015198895.tif 000008
【図７】
2015198895.tif 000009
【図８】
2015198895.tif 000010
【図９】
2015198895.tif 000011
【図１０】
2015198895.tif 000012
【図１１】
2015198895.tif 000013
【図１２】
2015198895.tif 000014
【図１３】
2015198895.tif 000015
【図１４】
2015198895.tif 000016
【図１５】
2015198895.tif 000017
【図１６】
2015198895.tif 000018
【図１７】
2015198895.tif 000019